(57)【特許請求の範囲】
【請求項１】
軸方向に延びる転動体軌道面を有する案内レールと、前記案内レールの転動体軌道面に対向する転動体軌道面を有するとともに軸方向に相対移動可能に前記案内レールに取り付けられたスライダと、前記案内レールの転動体軌道面及び前記スライダの転動体軌道面の間に形成される転動体転動路内に転動自在に配された複数の転動体と、前記スライダに設けられた潤滑剤導入口から導入される潤滑剤を前記転動体転動路に供給する給油路と、前記給油路における前記潤滑剤導入口よりも下流側の位置に設けられた弁と、を備え、
前記弁は、前記給油路のうち前記潤滑剤導入口と前記弁との間の部分に導入された潤滑剤の圧力が所定値以上であると開状態となり、前記潤滑剤を下流側へ通過させるようになっているとともに、前記圧力が高いほど開口度合いが大きくなるようになっており、
前記弁は弾性材料で構成されており、前記圧力によって前記弁が弾性変形して開状態となるとともに、前記圧力が高いほど前記弁の変形度合いが大きく、前記弁の開口度合いが大きくなるようになっており、
前記弁の形状は、前記圧力により変形する平板状の変形部の長手方向両端にフランジ状の固定部が形成された断面略Ｉ字状であり、変形していない前記変形部が前記給油路を完全に閉鎖するように、前記両固定部が前記給油路の内面に取り付けられて、前記弁が前記給油路に固定されていることを特徴とする直動案内装置。
【請求項２】
前記変形部の両側部のうち少なくとも一方の側部は前記給油路の内面に固定されていないことを特徴とする請求項１に記載の直動案内装置。
【請求項３】
前記給油路の内径に段差を設け、この段差を形成する端面に前記変形部の側部が接するように前記弁を固定したことを特徴とする請求項１又は請求項２に記載の直動案内装置。
【発明の詳細な説明】
【技術分野】
【０００１】
本発明は、直動案内装置に関する。
【背景技術】
【０００２】
従来の直動案内装置は、軸方向に延びる転動体転動溝を外面に有する案内レールと、該案内レールの転動体転動溝に対向する転動体転動溝を有するとともに軸方向に相対移動可能に案内レールに取り付けられたスライダと、案内レールの転動体転動溝とスライダの転動体転動溝との間に形成される転動体転動路内に転動自在に配された複数の転動体と、を備えており、転動体転動路内の転動体の転動を介してスライダが案内レールに沿って軸方向に移動可能となっている。そして、一般的には、転動体転動路は案内レールを挟んで両側に左右対称に配されている。なお、本発明においては、直動案内装置を軸方向端部側から見た場合に、案内レールの中心軸線を対称中心とした両側を左右とする。
【０００３】
転動体転動路内の転動体には、潤滑油，グリース等の潤滑剤が供給され潤滑が行われる。すなわち、スライダの左右方向略中央位置に設けられた給油口から左右に分岐する給油路が左右の転動体転動路に通じており、給油口に導入された潤滑剤が給油路を通って左右の転動体転動路に供給されるようになっている。このような給油路を有する直動案内装置は、水平に設置されている場合には、潤滑剤が左右の転動体転動路にほぼ均等に供給される。
【０００４】
ところが、直動案内装置が、左右の転動体転動路の間に高低差が生じるような傾斜姿勢をとって設置されている場合には、潤滑剤は自重により下方へ向かって流動するので、低い側の転動体転動路には通常（水平時）よりも多量の潤滑剤が供給され、高い側の転動体転動路には通常よりも少量の潤滑剤しか供給されず、傾斜角度によっては潤滑剤が殆ど供給されないおそれもある。その結果、高い側の転動体転動路においては潤滑剤不足となり、焼付き等の問題が生じるおそれがあった。
【０００５】
そこで、左右の転動体転動路の間に高低差が生じるような傾斜姿勢をとって設置されている場合でも、潤滑剤が左右の転動体転動路にほぼ均等に供給される直動案内装置が提案されている。
例えば、特許文献１には、重力により動作して転動体転動路への潤滑剤の供給量を自動的に調節する潤滑剤供給量調節部を備える直動案内装置が記載されている。すなわち、錘が重力を受けて移動することにより給油路の断面積が変化して、潤滑剤の供給量が調節されるようになっている。そして、傾斜角度の大きさに応じて錘の移動距離（給油路の断面積の大きさ）が変化するように、錘がバネで支持されている。
【０００６】
また、特許文献２には、横向きに設置される直動案内装置、すなわち、左右の転動体転動路が上下に配置されるように設置される直動案内装置が記載されている。この直動案内装置においては、上側に配置される転動体転動路に潤滑油が供給されにくいので、上側に配置される転動体転動路に通じる給油路の内部に、潤滑油保持体であるフェルトを配して、フェルトに吸収されている潤滑油が転動体転動路に供給されるようになっている。
【先行技術文献】
【特許文献】
【０００７】
【特許文献１】特開２００９−１５６３７６号公報
【特許文献２】特開２００７−１００８９６号公報
【発明の概要】
【発明が解決しようとする課題】
【０００８】
しかしながら、特許文献１に記載の直動案内装置では、バネが配置されている部分に潤滑剤が侵入すると、潤滑剤供給量調節部が正常に動作しなくなるおそれがあった。また、潤滑剤供給量調節部の機構が複雑であるため、より単純なものが求められていた。
また、潤滑油であればフェルトに吸収されるが、グリースはフェルトに吸収されにくいので、特許文献２に記載の直動案内装置の潤滑剤としてグリースを適用することは難しかった。
【０００９】
そこで、本発明は、上記のような従来技術が有する問題点を解決し、複数の転動体転動路の間に高低差が生じるような傾斜姿勢をとっている場合でも、各転動体転動路に供給される潤滑剤量に差が生じにくいことに加えて、潤滑剤量の調節機構が単純で不調が生じにくく、潤滑油及びグリースのいずれも潤滑剤として使用可能である直動案内装置を提供することを課題とする。
【課題を解決するための手段】
【００１０】
前記課題を解決するため、本発明の態様は、次のような構成からなる。すなわち、本発明の一態様に係る直動案内装置は、軸方向に延びる転動体軌道面を有する案内レールと、前記案内レールの転動体軌道面に対向する転動体軌道面を有するとともに軸方向に相対移動可能に前記案内レールに取り付けられたスライダと、前記案内レールの転動体軌道面及び前記スライダの転動体軌道面の間に形成される転動体転動路内に転動自在に配された複数の転動体と、前記スライダに設けられた潤滑剤導入口から導入される潤滑剤を前記転動体転動路に供給する給油路と、前記給油路における前記潤滑剤導入口よりも下流側の位置に設けられた弁と、を備え、前記弁は、前記給油路のうち前記潤滑剤導入口と前記弁との間の部分に導入された潤滑剤の圧力が所定値以上であると開状態となり、前記潤滑剤を下流側へ通過させるようになっているとともに、前記圧力が高いほど開口度合いが大きくなるようになっていることを特徴とする。
【００１１】
このような本発明の一態様に係る直動案内装置においては、前記弁は弾性材料で構成されており、前記圧力によって前記弁が弾性変形して開状態となるとともに、前記圧力が高いほど前記弁の変形度合いが大きく、前記弁の開口度合いが大きくなるようになっていることが好ましい。
【発明の効果】
【００１２】
本発明に係る直動案内装置は、導入された潤滑剤の圧力が所定値以上であると開状態となる弁を備えているので、複数の転動体転動路の間に高低差が生じるような傾斜姿勢をとっている場合でも、各転動体転動路に供給される潤滑剤量に差が生じにくいことに加えて、潤滑剤量の調節機構が単純で不調が生じにくく、潤滑油及びグリースのいずれも潤滑剤として使用可能である。
【図面の簡単な説明】
【００１３】
【図１】本発明に係る直動案内装置の一実施形態の構造を示す斜視図である。
【図２】図１の直動案内装置を軸方向端部側から見た正面図である。
【図３】図２のＡ−Ａ断面図である。
【図４】リターンガイドを省略してエンドキャップの裏面を示した図である。
【図５】リターンガイドの正面図である。
【図６】リターンガイドを装着した状態のエンドキャップの斜視図である。
【図７】弁を装着した状態のエンドキャップの裏面を示した図である。
【図８】弁の斜視図である。
【図９】図７のＢ−Ｂ断面図である。
【図１０】弁の動作を説明する図である。
【発明を実施するための形態】
【００１４】
本発明に係る直動案内装置の実施の形態を、図面を参照しながら詳細に説明する。図１は、本発明に係る直動案内装置の一実施形態の構造を示す斜視図である。また、図２は、図１の直動案内装置を軸方向端部側から見た正面図（ただし、エンドキャップを省略して図示している）である。さらに、図３は、図２のＡ−Ａ断面図であり、図１の直動案内装置の転動体循環路を示す部分断面図である。
【００１５】
なお、これ以降の説明で参照する各図においては、同一又は相当する部分には、同一の符号を付してある。また、これ以降の説明において「断面」と記した場合は、特に断りがない限り、軸方向に直交する平面で切断した場合の断面を意味する。さらに、これ以降の説明における上，下，左，右等の方向を示す用語は、特に断りがない限り、説明の便宜上、図２におけるそれぞれの方向を意味するものである。
【００１６】
軸方向に延びる断面形状略角形の案内レール１の上に、断面形状略コ字状のスライダ２が軸方向に移動可能に組み付けられている。この案内レール１は、軸方向両端面の他に、軸方向に延びる４つの外面を有するが、前記４つの外面のうち平行をなす左右両側面１ａ，１ａと上面１ｂとが交差する稜線部には、軸方向に延びる断面ほぼ１／４円弧形状の凹溝からなる転動体転動溝１０，１０（本発明の構成要件である転動体軌道面に相当する）が形成され、また、案内レール１の左右両側面１ａ，１ａの上下方向中央部には、軸方向に延びる断面ほぼ半円形の凹溝からなる転動体転動溝１０，１０が形成されている。
【００１７】
また、スライダ２は、案内レール１が有する前記４つの外面のうち上面１ｂに沿う平板部７と、平板部７の左右両側部からそれぞれ下方に延び側面１ａに沿う２つの腕部６，６と、からなり、平板部７と腕部６，６とのなす角度は直角であるため、スライダ２の断面形状は略コ字状をなしている。そして、スライダ２は、両腕部６，６の間に案内レール１を挟むようにして、案内レール１に移動可能に取り付けられている。
【００１８】
このようなスライダ２は、スライダ本体２Ａと、その軸方向両端部に着脱可能に取り付けられたエンドキャップ２Ｂ，２Ｂと、で構成されている。さらに、スライダ２の両端部（各エンドキャップ２Ｂの端面）には、案内レール１とスライダ２との間の隙間の開口部分のうち軸方向に向く開口部分を密封するサイドシール５，５が装着されており、スライダ２の下部には、案内レール１とスライダ２との間の隙間の開口部分のうち下方を向く開口部分を密封するアンダーシール８，８が装着されている。これらサイドシール５，５及びアンダーシール８，８により、外部から前記隙間への異物の侵入や、前記隙間から外部への潤滑剤の流出が防止されている。
【００１９】
さらに、スライダ本体２Ａの左右両腕部６，６の内側面の角部及び上下方向中央部には、案内レール１の転動体転動溝１０，１０，１０，１０に対向する断面ほぼ半円形の転動体転動溝１１，１１，１１，１１（本発明の構成要件である転動体軌道面に相当する）が形成されている。そして、案内レール１の転動体転動溝１０，１０，１０，１０とスライダ２の転動体転動溝１１，１１，１１，１１との間に、断面ほぼ円形の転動体転動路１３，１３，１３，１３がそれぞれ形成されていて、これらの転動体転動路１３，１３，１３，１３は軸方向に延びている。
【００２０】
これらの転動体転動路１３内には複数の転動体３が転動自在に装填されていて、これらの転動体３の転動を介してスライダ２が案内レール１に沿って軸方向に移動するようになっている。なお、転動体３の種類は球に限定されるものではなく、ころであってもよい。また、案内レール１及びスライダ２が備える転動体転動溝１０，１１の数は片側二列に限らず、例えば片側一列又は三列以上などであってもよい。さらに、転動体転動溝１０，１１の断面形状は、前述したように単一の円弧からなる円弧状でもよいが、曲率中心の異なる２つの円弧を組合せてなる略Ｖ字状（ゴシックアーク形状溝）でもよい。
さらにまた、スライダ２は、スライダ本体２Ａの左右両腕部６，６の肉厚部分の上部及び下部に、転動体転動路１３，１３，１３，１３と平行をなして軸方向に貫通する断面形状円形の直線孔からなる直線状路１４，１４，１４，１４を備えている。
【００２１】
一方、エンドキャップ２Ｂは、例えば樹脂材料の射出成形品からなり、断面形状が略コ字状に形成されている。また、エンドキャップ２Ｂの裏面（スライダ本体２Ａとの当接面）の左右両側には、断面形状円形で半ドーナツ形状の湾曲路１６が上下二段に形成されている。このエンドキャップ２Ｂをスライダ本体２Ａに取り付けると、湾曲路１６によって転動体転動路１３と直線状路１４とが連通される。
これら直線状路１４と両端の湾曲路１６，１６とで、転動体３を転動体転動路１３の終点から始点へ送る転動体戻し路１７が構成され、転動体転動路１３と転動体戻し路１７とで、略環状の転動体循環路が構成される。そして、この略環状の転動体循環路は、案内レール１を挟んで左右両側に形成される。
【００２２】
案内レール１に組みつけられたスライダ２が案内レール１に沿って軸方向に移動すると、転動体転動路１３内に装填されている転動体３は、転動体転動路１３内を転動しつつ案内レール１に対してスライダ２と同方向に移動する。そして、転動体３が転動体転動路１３の終点に達すると、後述する転動体掬いあげ突部３９によって転動体転動路１３からすくい上げられ湾曲路１６へ送られる。湾曲路１６に入った転動体３はＵターンして直線状路１４に導入され、直線状路１４を通って反対側の湾曲路１６に至る。ここで再びＵターンして転動体転動路１３の始点に戻り、このような転動体循環路１３内の循環を無限に繰り返す。
【００２３】
ここで、エンドキャップ２Ｂ（特に裏面）について、さらに詳細に説明する。スライダ本体２Ａとの当接面（裏面）には、図４に示すように、斜めに傾斜した半円状の上凹部３１と下凹部３２とが、左右両腕部６，６の上下に対応して形成されるとともに、半円状の両凹部３１，３２の中心部を横断して半円柱状の凹溝３３が設けてある。
そして、その半円柱状の凹溝３３には、例えば樹脂材料を射出成形して得た半円筒状のリターンガイド３５（図５を参照）が嵌合される。なお、図６は、リターンガイド３５が装着されたエンドキャップ２Ｂの斜視図である。このリターンガイド３５の外径面には、転動体３の案内面となる断面円弧状の凹溝３６，３６が半円状に形成され、また、リターンガイド３５の内径側の凹部３７は潤滑剤通路であり、その凹部３７から外径側の凹溝３６に抜ける貫通孔３７ａが給油孔として形成されている。
【００２４】
このようなリターンガイド３５を半円柱状の凹溝３３に組み込むことにより、エンドキャップ２Ｂの裏面の左右両側に、断面形状円形で半ドーナツ形状の湾曲路１６が上下二段に形成される（図３を参照）。このエンドキャップ２Ｂをスライダ本体２Ａに取り付けると、湾曲路１６，１６によって、転動体転動路１３，１３と直線状路１４，１４とが連通されることとなる。
【００２５】
なお、エンドキャップ２Ｂにおいて、転動体３を案内する湾曲路１６の内側端部には半円状に突出させた転動体掬いあげ突部３９が形成され、その鋭角の先端が案内レール１の転動体転動溝１０の溝底に近接するように配されている。そして、エンドキャップ２Ｂ内に備えられた転動体掬いあげ突部３９によって、転動体３は転動体転動路１３からすくい上げられ湾曲路１６へ送られるようになっている。
【００２６】
また、スライダ２の例えばエンドキャップ２Ｂには、潤滑剤導入口として給油ニップル２２が設けられている。エンドキャップ２Ｂの表側の給油ニップル２２から注入されたグリース，潤滑油等の潤滑剤が、エンドキャップ２Ｂの裏面に形成された溝からなる給油路２１を通りリターンガイド３５の内径側の凹部３７から貫通孔３７ａを経て、左右両側の湾曲路１６内へ送り込まれるようになっている。そして、潤滑剤は転動体３により運ばれるなどして湾曲路１６から転動体転動路１３に至り、転動体３の潤滑が行われるようになっている。
【００２７】
このような直動案内装置には、給油路２１の途中位置に、潤滑剤供給量を調節する弁４０が備えられている。すなわち、図７に示すように、エンドキャップ２Ｂの裏面の左右方向略中央位置には、表側の給油ニップル２２から延びた給油口２３が開口しており、この給油口２３から左右に分岐して延びる給油路２１，２１が左右の湾曲路１６，１６にそれぞれ通じている。そして、左右両給油路２１，２１のそれぞれの途中位置（給油ニップル２２よりも下流側であり、給油口２３と湾曲路１６との間の位置）には弁４０が設けられていて、給油路２１を流れる潤滑剤の量が調節されるようになっている。したがって、この弁４０によって、湾曲路１６を経由して転動体転動路１３へ送られる潤滑剤の量が調節される。
【００２８】
この弁４０の構造及び動作について、図７〜１０を参照しながら以下に詳細に説明する。まず、弁４０について説明する。弁４０は弾性材料で構成されており、弁４０に作用する圧力が所定値以上であると弾性変形して開状態となり、前記所定値未満であると閉状態となるようになっている。弁４０が開状態となると、給油路２１のうち弁４０の上流側の部分にある潤滑剤が弁４０を通過し、下流側へ流れていくこととなる。そして、前記圧力が高いほど弁４０の変形度合いは大きく、弁４０の開口度合いが大きくなるようになっている。よって、前記圧力の高さによって、弁４０を通過する潤滑剤の量が自動的に調節され、前記圧力が高いほど多量の潤滑剤が弁４０を通過することとなる。
【００２９】
弁４０の形状は、このような機能を有するならば特に限定されるものではないが、例えば図８に示すような形状が好ましい。すなわち、平板状の変形部４１の長手方向両端に、フランジ状の固定部４２，４２が形成された、断面略Ｉ字状が好ましい。この断面略Ｉ字状の弁４０を、図７に示すように、エンドキャップ２Ｂの裏面に形成された給油路２１に固定する。すなわち、弁４０の固定部４２，４２を給油路２１の内面に取り付け、弁４０の変形部４１が給油路２１を完全に閉鎖するようにする。
【００３０】
よって、図９に示すように、給油ニップル２２から潤滑剤Ｌが矢印で示すように導入されても、導入された潤滑剤Ｌから受ける圧力が前記所定値未満であれば弁４０の変形部４１は変形しないので、弁４０は閉状態となっている。弁４０が閉状態となっていると、潤滑剤Ｌは弁４０によって堰き止められ、給油路２１のうち給油ニップル２２と弁４０との間の部分に充填された状態となる。
【００３１】
しかし、図１０に示すように、給油ニップル２２から多量の潤滑剤Ｌを導入することによって、導入された潤滑剤Ｌから受ける圧力が前記所定値以上となった場合は、弁４０の変形部４１は、潤滑剤Ｌから受ける圧力の高さに応じて弾性変形するので、弁４０は開状態となる。すなわち、平板状の変形部４１の両側部４１ａ，４１ｂのうち側部４１ａは給油路２１の内面に固定されており、側部４１ｂは給油路２１の内面に固定されていないので、固定されていない側の側部４１ｂは潤滑剤Ｌの圧力によって下流側に撓んで、変形部４１の側部４１ｂと給油路２１の内面との間に隙間（すなわち開口）が形成され、図１０において矢印で示すように、この開口から潤滑剤Ｌが下流側に流れ込む。ただし、平板状の変形部４１の両側部４１ａ，４１ｂを給油路２１の内面に固定せず、両側部４１ａ，４１ｂが潤滑剤Ｌの圧力によって下流側に撓むような構成としてもよい。
【００３２】
開状態の弁４０の開口から潤滑剤Ｌが下流側に流れると、給油路２１のうち弁４０の上流側の部分にある潤滑剤Ｌの量が減少し、潤滑剤Ｌから弁４０が受ける圧力は低下する。そして、給油路２１のうち弁４０の上流側の部分にある潤滑剤Ｌの圧力が前記所定値未満となった場合は、弁４０の変形部４１の側部４１ｂの撓みは戻り、弁４０の変形部４１は元の形状となる。すると、弁４０は閉状態となるので、潤滑剤Ｌの下流側への流れは堰き止められる。
【００３３】
前記圧力が高いほど、固定されていない側の側部４１ｂは大きく撓み、開口度合いが大きくなるので、潤滑剤Ｌが弁４０を通過する量も多くなる。前記圧力の高さによって弁４０の変形部４１の撓み量が決まるから、前記圧力の高さによって、弁４０を通過する潤滑剤Ｌの量が自動的に調節されることとなる。
直動案内装置は、左右両側の転動体転動路１３，１３の間に高低差が生じるような傾斜姿勢をとって設置される場合があるが、上記のような弁４０が各給油路２１に設置されていれば、前記高低差に関係なく前記圧力によって自動的に調節される量の潤滑剤Ｌが各弁４０を通過するので、ほぼ同量の潤滑剤Ｌが左右両側の転動体転動路１３，１３に供給されることとなる。
【００３４】
よって、左右両側の転動体転動路１３，１３の間に高低差が生じるような傾斜姿勢をとって直動案内装置が設置されている場合であっても、左右両側の転動体転動路１３，１３に供給される潤滑剤量の差はほとんど生じない。また、案内レール１が鉛直方向に沿うように設置されている場合や、上下逆さ（案内レール１が上側、スライダ２が下側に配されている状態）に設置されている場合であっても、各転動体転動路１３への潤滑剤Ｌの供給が問題なく安定的に行われる。
【００３５】
また、このような弁４０は、潤滑剤量の調節機構が上記のように単純であるので、低コストで製造できることに加えて、調節機構の不調が発生しにくい。また、このような弁４０による潤滑剤量の調節機構は、潤滑剤が潤滑油及びグリースのいずれであっても適用可能である。
なお、前述したように、弁４０を通過する潤滑剤Ｌの量は前記圧力によって自動的に調節されるが、弁４０の形状や材質の変更によって、弁４０の変形が起こり始める圧力（前記所定値）が変わるし、所定の圧力における弁４０の変形量が変わるので、前記所定値が所望の値となるように、また、潤滑剤Ｌの圧力と弁４０を通過する潤滑剤Ｌの量との相関が所望の相関となるように、弁４０の形状や材質を設定するとよい。弁４０の材質は、潤滑剤Ｌの接触によって溶解，膨潤，変形等の劣化，損傷を起こさないものであれば特に限定されるものではないが、樹脂，ゴム，金属等が好適である。
【００３６】
また、給油路２１の内径は全体にわたって一定でも差し支えないが、図９，１０に示すように、給油路２１の内径に段差を設け、この段差を形成する端面２１ａに弁４０の変形部４１の側部４１ｂが接するように弁４０を固定してもよい。このような構成であれば、潤滑剤Ｌが逆流して、弁４０の変形部４１に下流側から上流側に向かう圧力が作用したとしても、弁４０の変形部４１の側部４１ｂが端面２１ａに当接するので、上流側に撓むことが防止される。よって、逆流した潤滑剤Ｌが弁４０を通過して上流側に流れ込むことがなく、したがって、潤滑剤Ｌが反対側の転動体転動路１３に流れ込むことがない。
【００３７】
例えば、左右両側の転動体転動路１３，１３の間に高低差が生じるような傾斜姿勢で直動案内装置が設置され、左側の転動体転動路１３が高く、右側の転動体転動路１３が低く配されているとする。すると、高い側の左側の転動体転動路１３に供給された潤滑剤が重力により下方に移動してくるおそれがあるが、上記のように、弁４０によって逆流が防止されれば、高い側の左側の転動体転動路１３から低い側の右側の転動体転動路１３に潤滑剤が流れ込むことがない。よって、高い側の転動体転動路１３にも安定して潤滑剤が供給されるから、高い側の転動体転動路１３において潤滑剤不足が生じて焼付き等の問題が生じるおそれがほとんどないので、直動案内装置は長寿命となる。
なお、本実施形態は本発明の一例を示したものであって、本発明は本実施形態に限定されるものではない。例えば、本実施形態においては、給油路２１，弁４０等からなる潤滑剤量の調節機構をエンドキャップ２Ｂに設けたが、スライダ本体２Ａに設けてもよい。
【符号の説明】
【００３８】
１      案内レール
２      スライダ
２Ａ    スライダ本体
２Ｂ    エンドキャップ
３      転動体
６      腕部
７      平板部
１０      転動体転動溝
１１      転動体転動溝
１３      転動体転動路
１４      直線状路
１６      湾曲路
１７      転動体戻し路
２１      給油路
２１ａ    端面
２２      給油ニップル
２３      給油口
４０      弁
４１      変形部
４１ｂ    側部
Ｌ      潤滑剤
【図１】
0005772206.tif 000002
【図２】
0005772206.tif 000003
【図３】
0005772206.tif 000004
【図４】
0005772206.tif 000005
【図５】
0005772206.tif 000006
【図６】
0005772206.tif 000007
【図７】
0005772206.tif 000008
【図８】
0005772206.tif 000009
【図９】
0005772206.tif 000010
【図１０】
0005772206.tif 000011